(57)【要約】  本発明は、柱を実質的に１周するように移動可能に互いに接続されている第１及び第２の装着部品を有する、柱に使用される空洞ボーリングオーガーに関する。柱を実質的に１周するように第１の装着部品及び第２の装着部品に対応して取り付け可能な第１のオーガー部品及び第２のオーガー部品も有している。使用中にオーガー部品が柱を中心に回転して空洞の溝を柱を中心にボーリングすることができるように、装着部品及びオーガー部品に関連付けられている回転装置も有している。本発明は、使用方法にも関連している。【選択図】図１
2018509548.tif 000002
【特許請求の範囲】
【請求項１】
柱を実質的に１周するように移動可能に互いに接続されている第１の装着部品と第２の装着部品と、
柱を実質的に１周するように第１の装着部品と第２の装着部品とに対応して取り付け可能な第１のオーガー部品と第２のオーガー部品と、
オーガー部品が柱を中心に回転して穴をボーリングすることができるように、装着部品とオーガー部品とに関連付けられている回転装置と、
を有し、 
回転装置が回転すると、オーガー部品は空洞の溝をボーリングする、柱に使用される空洞ボーリングオーガー。 
【請求項２】
第１及び第２の装着部品は、開いている状態と閉じている状態との間を移動可能な、請求項１に記載の空洞ボーリングオーガー。 
【請求項３】
閉じている状態において、第１及び第２の装着部品は、閉じている状態において柱を実質的に１周している、つまり囲んでいる開口を実質的に定めている、請求項１または２に記載の空洞ボーリングオーガー。 
【請求項４】
発明の好ましい形態において、第１の装着部品と第２の装着部品との各々は、第１の装着部品と第２の装着部品とを一体に移動させる時に、柱の円形の周囲を接近して囲む円形の開口を構成する半円部分を有している、請求項１から３のいずれか１項に記載の空洞ボーリングオーガー。 
【請求項５】
第１の装着部品と第２の装着部品とは、柱またはポストの基部の近くに移動させて、柱の周囲で閉じることが可能な「あご」を構成するように一体にヒンジ結合されている、請求項１から４のいずれか１項に記載の空洞ボーリングオーガー。 
【請求項６】
第１の装着部品と第２の装着部品とは、取り付けられている乗り物の油圧システムに取り付けられており、第１の装着部品と第２の装着部品との開閉は、取り付けられている乗り物のキャビンから制御される、請求項１から５のいずれか１項に記載の空洞ボーリングオーガー。 
【請求項７】
第１の装着部品と第２の装着部品とは、閉じている状態において柱を実質的に１周するように構成されているカラーを各々が有している、請求項１から６のいずれか１項に記載の空洞ボーリングオーガー。 
【請求項８】
閉じている状態において、カラーは、柱の長さに沿って、少なくともいくらか延びている円柱を構成している、請求項７に記載の空洞ボーリングオーガー。 
【請求項９】
カラーは、柱の長さに沿って少なくとも２５０ミリメートル延びている、請求項７または８に記載の空洞ボーリングオーガー。 
【請求項１０】
カラーは、穴が基部の周囲に掘られている時に、柱の不安定化に対応するように作用する支持カラーを構成している、請求項７から９のいずれか１項に記載の空洞ボーリングオーガー。 
【請求項１１】
第１のオーガー部品と第２のオーガー部品とは、一体になって柱の基部の周囲に空洞を掘るオーガーを構成することが好ましい、請求項１から１０のいずれか１項に記載の空洞ボーリングオーガー。 
【請求項１２】
第１のオーガー部品と第２のオーガー部品とは、第１のオーガー部品と第２のオーガー部品とが一体になったときに連続するように構成されているバックプレートと刃とを有している螺旋ドリルを一体になって構成する、請求項１から１１のいずれか１項に記載の空洞ボーリングオーガー。 
【請求項１３】
第１及び第２のオーガー部品は、開いている状態と閉じている状態との間を移動可能な、請求項１から１２のいずれか１項に記載の空洞ボーリングオーガー。 
【請求項１４】
閉じている状態においては、第１及び第２のオーガー部品は柱に概ね対応している円柱を実質的に定めており、閉じている状態において柱を実質的に囲むように構成されている、請求項１から１３のいずれか１項に記載の空洞ボーリングオーガー。 
【請求項１５】
第１のオーガー部品は、第１の装着部品に対応しており、第２のオーガー部品は第２の装着部品に対応しており、それらに取り付け可能なことが好ましい、請求項１から１４のいずれか１項に記載の空洞ボーリングオーガー。 
【請求項１６】
取り付けプレートを使用して部品が一体になるように取り付けられる、請求項１から１５のいずれか１項に記載の空洞ボーリングオーガー。 
【請求項１７】
一体に閉じられたときに、断面が柱の形状に概ね対応するように構成されている１対の取り付けプレートが含まれている、請求項１６に記載の空洞ボーリングオーガー。 
【請求項１８】
第１の装着部品と第１のオーガー部品との間と、別個に、第２の装着部品と第２のオーガー部品との間に各々が取り付けられている１対の取り付けプレートが含まれている、請求項１６または１７に記載の空洞ボーリングオーガー。 
【請求項１９】
半円の取り付けプレートが対応している第１の装着部品と第１のオーガー部品との間に取り付けられており、第２の半円の取り付けプレートが対応している第２の装着プレートと第２のオーガー部品との間に取り付けられており、いったん取り付けられると、柱の基部を中心に閉じることができる「あご」を構成するように、それらの部品は一体に開閉される、請求項１から１８のいずれか１項に記載の空洞ボーリングオーガー。 
【請求項２０】
いったん、第１の装着部品と第１のオーガー部品とが一体に取り付けられ、別個に第２の装着部品と第２のオーガー部品とが一体に取り付けられると、それらは一体に開閉される、請求項１から１９のいずれか１項に記載の空洞ボーリングオーガー。 
【請求項２１】
いったん一体になるように取り付けられると、第１の装着部品と第２の装着部品との開閉状態の間の移動によって、第１のオーガー部品及び第２のオーガー部品も一体に開閉させることになる、請求項２０に記載の空洞ボーリングオーガー。 
【請求項２２】
回転装置は、第１及び第２のオーガー部品を回転させて柱を中心に溝を掘るように適合している、請求項１から２１のいずれか１項に記載の空洞ボーリングオーガー。 
【請求項２３】
回転装置は、第１及び第２の装着部品と第１及び第２のオーガー部品との間に位置している、請求項１から２２のいずれか１項に記載の空洞ボーリングオーガー。 
【請求項２４】
回転装置は、第１及び第２の装着部品に一方で関連し、第１及び第２のオーガー部品に他方で関連するように適合している、請求項１から２３のいずれか１項に記載の空洞ボーリングオーガー。 
【請求項２５】
回転装置は、第１のオーガー部品と第２のオーガー部品とが一体に回転して穴を掘ることができるように適合している合成軸受配置を有している、請求項１から２４のいずれか１項に記載の空洞ボーリングオーガー。 
【請求項２６】
合成軸受配置は、第１の装備部品と第１のオーガー部品との間に含まれており、合成軸受配置は、スプロケットの少なくとも１個の回転が、チェーンの回転に変換され、それが今度は第１のオーガー部品の連動部分によって第１のオーガー部品の回転に変換されるように、チェーン配置内に１対のスプロケットを有している、請求項２５に記載の空洞ボーリングオーガー。 
【請求項２７】
連動部分は、チェーンの近い部分も回転しているときに、それとの連動によって回転する第１オーガー部品上の歯付き部分である、請求項２６に記載の空洞ボーリングオーガー。 
【請求項２８】
第２のスプロケットが存在し、第１及び第２のスプロケットは、柱用の開口の外側の周囲を定めている、請求項２７に記載の空洞ボーリングオーガー。 
【請求項２９】
合成軸受配置は、第２の装着部品と第２のオーガー部品との間に含まれており、合成軸受配置は、スプロケットの少なくとも１個の回転が、チェーンの回転に変換され、それが今度は第２のオーガー部品の連動部分によって第２のオーガー部品の回転に変換されるように、チェーン配置内に１対のスプロケットを有しており、連動部分は、チェーンの近い部分も回転しているときに、それとの連動によって回転する第２オーガー部品上の歯付き部分である、請求項２５から２８のいずれか１項に記載の空洞ボーリングオーガー。 
【請求項３０】
回転装置は、１個または２個以上の油圧モータを有しており、回転装置は、油圧モータが一体になって動作することによって対応しているオーガー部品が回転し、それによって螺旋ドリルが２個の部品から構成されるように構成されている、請求項１から２９のいずれか１項に記載の空洞ボーリングオーガー。 
【請求項３１】
油圧モータを動作させると、チェーンに関連している１対のスプロケットの間のチェーンが回転するように対応しているスプロケットが回転し、オーガー部品の関連している調和部品を他のオーガー部品と一体に回転させ、１対のオーガー部品を一体に回転させて空洞の溝をボーリングする、請求項３０に記載の空洞ボーリングオーガー。 
【請求項３２】
装着部品は、乗り物の駆動機構の取り付けのためのフレームを構成し、オーガー部品は使用中にフレーム内で回転する、請求項１から３１のいずれか１項に記載の空洞ボーリングオーガー。
【請求項３３】
労力と周囲の地面への悪影響とが最小になるように、柱の基部にオーガーによって溝が掘られる、請求項１から３２のいずれか１項に記載の空洞ボーリングオーガー。
【請求項３４】
第１の装着プレートと第２の装着プレートとは、２個以上の大きさの第１及び第２のオーガー部品と共に様々な直径の穴を掘るのに使用される、請求項１から３３のいずれか１項に記載の空洞ボーリングオーガー。
【請求項３５】
コンパニオンプレートが装置の幅または長さを変更し、掘られる溝の大きさを変更するのに使用され、コンパニオンプレートは、装着プレート及び／またはオーガー部品に取り付けられている、請求項１から３４のいずれか１項に記載の空洞ボーリングオーガー。
【請求項３６】
柱を実質的に１周するように移動可能に互いに接続されている第１の装着部品と第２の装着部品と、
第１のオーガー部品と第２のオーガー部品であって、取り付けられている特定の第１のオーガー部品と第２のオーガー部品に対応している大きさの柱を実質的に１周するように第１の装着部品と第２の装着部品とに対応して取り付け可能な様々な第１のオーガー部品と第２のオーガー部品と、
オーガー部品が柱を中心に回転して穴をボーリングすることができるように、装着部品とオーガー部品とに関連付けられている回転装置と、
を有し、
回転装置が回転すると、オーガー部品は空洞の溝を柱の基部を中心にボーリングする、柱に使用される空洞ボーリングオーガー。
【請求項３７】
第１のオーガー部品と第２のオーガー部品とに移動可能に対応して取り付けられている第１の装着部品と第２の装着部品とであって、オーガー部品が回転可能なようにそれらの間に関連している回転装置を備えている第１の装着部品と第２の装着部品とを有している柱に使用される空洞ボーリングオーガーを使用する方法であって、 
ａ）取り付けられている第１の装着部品及び第１のオーガー部品と、第２の装着部品及び第２のオーガー部品とを柱の基部の近くに配置し、 
ｂ）第１の装着部品と、第１のオーガー部品と、柱の基部を中心に移動可能に取り付けられている第２の装着部品及び第２のオーガー部品とによって構成されている「あご」を閉じ、
回転装置を動作させ、柱の基部を中心に空洞の溝を構成するように第１及び第２のオーガー部品を回転させる、
ステップを有する方法。
【請求項３８】
空洞ボーリングオーガーは、請求項１から３６のいずれか１項に記載の空洞ボーリングオーガーである、請求項３７に記載の空洞ボーリングオーガー。 
【発明の詳細な説明】
【技術分野】
【０００１】
本発明は、空洞ボーリングオーガーに関し、特に、電柱の周囲を掘って点検を可能にするのに使用される空洞ボーリングオーガーに関する。
【背景技術】
【０００２】
世界中には、国内の電力供給事業及び電話などの他の有線公益サービスを支援するのに使用される何百万もの電柱がある。これらの公益用の柱及び電柱の完全性は最重要であって、どのような故障も、電柱の故障及び転倒につながり、事故やサービスの喪失の原因になる可能性がある。サイクロンまたは嵐の間、柱が地上にいったん倒れてからさらに損傷させる原因になる強い風によって危険が劇的に増加し複雑になる。
【０００３】
木製の柱などの構造的な完全性の喪失の危険性があるので、多くの公益会社は、日誌に記録するシステムによって、定期的に柱を確認している。このように、短期間に故障する可能性があると考えられる柱は、その代わりに交換可能であって、それによって、安全性を改善し、コストを減少させ、もちろん、消費者に対する停電を最小にする。柱が故障する場合、呼び出しを行わなければならず、また適切な技術者、装置、及び柱を確保しなければならないので、停電時間は重要になる可能性がある。地方では、技術者、装置、及び新しい柱を州都から入手することが必要になることがあり、それが、さらなる遅延、公益会社にとってのコストの増加、及び顧客にとってのサービスの遅延及び喪失つながり、それは好ましくなく、ほとんどの事業にとって、電力なしに活動をするのは困難であるので、柱の故障によって電力が喪失している嵐の後の活動において、生産性の喪失が顕著になる。
【０００４】
電柱が損傷すると、特に、基部の位置などの完全性が失われ、電柱が故障することがある。柱の基部の位置の損傷は、柱を倒れ易くし、電線を損傷させることにつながり、それが停電及びそのときに近傍にいる誰もの潜在的なけが及び死亡につながることになる。 
【発明の概要】
【発明が解決しようとする課題】
【０００５】
柱の基部の位置の損傷は、表面の下でしばしば発生し、それを点検するのは容易ではない。地下の柱の部分は、たとえば、湿気の作用及び腐食、またはシロアリによって柔らかになることもある。柱の基部が柔らかになって、地下の完全性が失われると、これは、地下の特定の点検を行わなければ認識できないかもしれないことなので潜在的に非常に危険な状況である。典型的には、作業者は、柱の基部を視覚で確認し、完全性を試験できるように土を取り除くために柱の基部の周囲を注意深く掘る必要がある。本発明の使用によって、この極めて重大な安全点検ができるように、柱の基部の周囲に正確な空洞を最小の労力で掘ることができる。本発明の空洞ボーリングオーガーの所定の計測値は、点検を可能にするのに十分であるが、そのためだけの整っている穴を掘ることを保証するので、労力、時間コスト、及び近くの人々に対する悪影響が最小になり、優れた結果をもたらす。公益会社及び柱を確認する契約作業者は、点検ピットを掘る時間及び金を節約し、またその後に穴を埋め戻す時間及び労力も減少させることになる。
【０００６】
発明者は、長年の注意深い研究及び開発を通して、対象の用途に対しては始めて開示されたような、自動化されている回転駆動機構を備えている空洞ボーリングオーガーのための巧妙な新しい発明について取り組んできた。発明者は、点検を容易にするように、柱の周囲に空洞を掘ることを自動化する印象的な駆動システムを開発した。開閉機構、新規の軸受システム、及びカラー支持部など、本発明の多数のさらなる有利で有益な特徴がある。本発明の適用は、当該技術分野に対する顕著な改善となる可能性があり、いったん実装されると標準になる。本発明の使用によって、柱点検の効率及び他の同様な作業が大きく改善されることが望まれている。
【０００７】
以下では、電柱の取り替えが必要になることもある電柱の基部の腐食、シロアリ、または他の完全性の喪失について点検できるように電柱の周囲を掘ることを参照して、使用される本発明の非限定的な例を説明する。電柱で使用するために説明する本発明の特定の用途は、特に有用であって、大きな潜在的な市場がある。しかし、本明細書で説明する発明は、電柱での使用に限定されることを意図しておらず、任意の適切な柱の基部の点検に使用してもよい。さらに、本発明は、たとえば、以下でさらに説明するように、他の目的で、または本発明を操作するのに適している油圧容量を有しているバックホー、テレハンドラー、または同様の装置などの他の装置と共に使用することもできる。ヤシの木や他の種苗場用途での使用へのオーガーの使用の用途がさらにある。請求項で指定する場合を除き、本発明を電柱への使用に限定することは意図してない。
【０００８】
明確にするために、本明細書で参照するどのような従来技術も、従来技術がオーストラリアや他で共通の一般的な知識の一部を構成しているということを認めたことにはならない。
【０００９】
本発明の目的は、従来技術の前述の問題の１個または２個以上を少なくとも改善する空洞ボーリングオーガーを提供することである。
【課題を解決するための手段】
【００１０】
それに応じて、本発明は、 柱を実質的に１周するように移動可能に互いに接続されている第１の装着部品と第２の装着部品と、柱を実質的に１周するように第１の装着部品と第２の装着部品とに対応して取り付け可能な第１のオーガー部品と第２のオーガー部品と、オーガー部品が柱を中心に回転して穴をボーリングすることができるように、装着部品とオーガー部品とに関連付けられている回転装置と、を有し、回転装置が回転すると、オーガー部品は空洞の溝をボーリングする、柱に対して使用される空洞ボーリングオーガーを提供する。
【００１１】
空洞ボーリングオーガーは、柱の周囲に空洞の溝を掘るためであることが好ましい。空洞ボーリングオーガーは、任意の適している目的に使用されてもよい。 
【００１２】
柱は、任意の適切は柱またはポストであってもよい。柱は、木製の柱であってもよい。柱は、電線用に使用される電柱であってもよい。柱は、公益サービス用に使用される柱であってもよい。公益サービスは、電力、電話、または他の有線サービスであってもよい。空洞ボーリングオーガーは、任意の適している用途に使用されてもよい。空洞ボーリングオーガーは、種苗産業で使用されてもよい。柱またはポストは、ヤシの木であってもよく、空洞ボーリングオーガーは、ヤシを掘るのを支援するのに使用される。柱は任意の木であってもよい。
【００１３】
第１及び第２の装着部品は、任意の適切な形状をしていてもよい。第１及び第２の装着部品は、開いている状態と閉じている状態との間を移動可能であることが好ましい。開いている状態においては、柱は第１及び第２の装着部品内にあるように通過可能である。閉じている状態においては、第１及び第２の装着部品は実質的に開口を定めていることが好ましい。第１及び第２の装着部品は、閉じている状態において柱を実質的に１周するつまり囲むように構成されていることが好ましい。開口は、１周する柱と同じ形状及び大きさに構成されていることが好ましい。柱は、断面が実質的に円形であって、開口は断面が同様の円形であることが好ましい。他の用途または柱の形状に対して、開口は、任意の適切な形状であってもよい。
【００１４】
第１の装着部品及び第２の装着部品は、開口を定める「鏡像」部品を有していることが好ましい。発明の好ましい態様において、第１の装着部品と第２の装着部品との各々は、第１の装着部品と第２の装着部品とを一体に移動させる時に、柱を受け入れるのに適している円形の開口を構成する半円部分を有している。円形の開口は、柱の断面の寸法と実質的に同じように寸法が設定されていることが好ましい。
【００１５】
第１の装着部品及び第２の装着部品の外側の形状は、互いに同じであっても、異なっていてもよい。第１の装着部品及び第２の装着部品の周囲の概ねの形状は、閉じている状態においては正方形であってもよい。代わりに、取り付け点を含むように他の適切な形状を使用してもよいことは明らかである。
【００１６】
第１の装着部品及び第２の装着部品は、閉じている状態と開いている状態との間を移動可能であることが好ましい。第１の装着部品と第２の装着部品とは、一体にヒンジまたはピボット結合されていてもよい。第１の装着部品及び第２の装着部品との間に任意の適切な取り付け部分を使用してもよい。移動可能な接続は、任意の適切な態様をとってもよい。第１の装着部品及び第２の装着部品をヒンジまたはピボット接続することは、開いている状態と閉じている状態との間の円滑な移動を可能にするので、特に適切である。その代わりに、本発明の劣っている態様においては、第１及び第２の装着部品は、使用の前に一体に嵌められてもよい。
【００１７】
１周する場合、柱の円形の周囲を接近して囲むことが好ましい。１周する場合、柱を非常に接近して１周することが最も好ましい。
【００１８】
本発明の１つの特に好ましい態様において、第１の装着部品と第２の装着部品とは、柱またはポストの基部の近くに移動させて、柱の周囲で閉じることが可能な「あご」を構成するように一体にヒンジ結合されている。あごの移動は、油圧制御であることが好ましい。「あご」を、使用時に穴を掘る前に柱の基部の周囲にこのように容易に嵌ることができることが最も好ましい。
【００１９】
第１の装着部品及び第２の装着部品は、油圧システムに取り付けられていることが好ましい。油圧システムは、取り付けられている乗り物の油圧システムであることが好ましい。発明の他の態様に置いて、任意の適切な駆動機構を使用して、第１の装着部品と第２の装着部品とを、閉じている状態と開いている状態との間で移動させてもよい。たとえば、電池を動力とするアクチュエータまたは他の電気システムを代わりに使用することができる。第１の装着部品及び第２の装着部品の開閉が、取り付けられている乗り物のキャビンから制御されるのが最も好ましい。開閉の制御は、油圧システムを使用して、オペレータが関連する乗り物のキャビンから容易に「あご」を開閉できるようにすることが好ましい。 
【００２０】
本発明の好ましい態様において、第１の装着部品は、乗り物への取り付け部の一部を有していてもよい。取り付け部は、ブームまたはストラットであってもよい。ブームまたはストラットは乗り物の一部であってもよい。ブームまたはストラットは、他の態様の装置の一部を構成してもよい。ブームまたはストラットは、装置に油圧システムを取り付けて、回転装置を駆動できるようにする油圧掘取機の標準的なブームであってもよい。乗り物は任意の適切な乗り物であってもよい。乗り物は、たとえば、掘取機、原動機、掘削機、テレハンドラー、またはバックホー であってもよい。乗り物は、空洞ボーリングオーガーを動作させるのに使用される油圧システムを有していることが好ましい。
【００２１】
第１の装着部品と第２の装着部品とは、使用中に閉じている状態において柱を実質的に１周するように構成されているカラーを各々が有していることが好ましい。閉じている状態において、カラーは、柱の長さに沿って、少なくともいくらか延びている円柱を構成していることが好ましい。カラーは、柱の長さに沿って少なくとも２５０ミリメートル延びていることが好ましい。延びは任意の適切な長さであってもよい。カラーは、穴が基部の周囲に掘られている時に、柱の不安定化に対応するように作用する支持カラーを構成していることが好ましい。発明の他の態様においては、１対の装着部品の代わりに複数の部品が使用されていてもよい。
【００２２】
第１の装着部品と第２の装着部品とは、強力な金属材料で作られていることが好ましい。他の材料を代わりに装着部品に使用してもよい。第１及び第２の装着部品は強力な鋼材料で作られていることが好ましい。
第１のオーガー部品と第２のオーガー部品とは、一体になって柱の基部の周囲に空洞を掘るオーガーを構成することが好ましい。第１のオーガー部品と第２のオーガー部品とは一体になって螺旋ドリルを構成することが好ましい。螺旋ドリルは、第１のオーガー部品と第２のオーガー部品とが一体になったときに連続するように構成されているバックプレートと刃とを有していてもよい。刃による地面の切削を促進するように、カッティングエッジが刃の端部に含まれていることが好ましい。第１のオーガー部品と第２のオーガー部品とは、空洞の穴を作るのに適している別の態様を有していてもよい。第１オーガー部品と第２のオーガー部品とは、穴を掘ったりボーリングしたりする任意の適している態様をとってもよい。 
【００２３】
第１及び第２のオーガー部品は、任意の適切な形状をしていてもよい。第１及び第２のオーガー部品は、開いている状態と閉じている状態との間を移動可能であることが好ましい。第１及び第２のオーガー部品は、第１及び第２の装着部品と共に、開いている状態と閉じている状態との間を移動可能であることが好ましい。開いている状態においては、柱は第１及び第２の装着部品内にあるように通過可能である。閉じている状態においては、第１及び第２の取り付けオーガーは柱に概ね対応している円柱を実質的に定めていることが好ましい。第１及び第２の取り付けオーガーは、閉じている状態において柱を実質的に囲むように構成されていることが好ましい。円柱は、１周する柱の第２と同様な形状及び大きさに構成されていることが好ましい。柱は、断面が実質的に円形であって、円柱は断面が同様の円形であることが好ましい。他の用途または柱の形状に対して、円柱は、任意の適切な形状であってもよい。
【００２４】
第１のオーガー部品及び第２のオーガー部品は、円柱を定める「鏡像」部品を有していることが好ましい。発明の好ましい態様において、第１の取り付けオーガーと第２のオーガー部品との各々は、一体に移動させる時に、柱を実質的に囲むのに適している円柱を構成する半円柱部品を有している。このように、柱は使用中に損傷から保護されている。
【００２５】
第１のオーガー部品は、第１の装着部品に対応しており、第２のオーガー部品は第２の装着部品に対応しており、それらに取り付け可能なことが好ましい。発明の他の態様において、様々な部品の取り付けは、当業者が理解するであろうように、反転していてもよい。第１のオーガー部品の概ねの断面プロフィールは、第１の装着部品のそれに対応していることが好ましく、同様に、第２のオーガー部品の概ねの断面プロフィールは、第２の装着部品のそれに対応していることが好ましい。
【００２６】
使用前に、第１のオーガー部品が第１の装着部品に取り付けられており、第２のオーガー部品が第２の装着部品に取り付けられていることが好ましい。取り付けは任意の適切な取り付けであってもよい。ナットとボルトとの配置が部品を一体になるように取り付けるのに使用されていることが好ましい。取り付けプレートを使用して部品が一体になるように取り付けられてもよい。一体に閉じられたときに、断面が柱の形状に概ね対応するように構成されている１対の取り付けプレートが含まれていることが好ましい。第１の装着部品と第１のオーガー部品との間と、別個に、第２の装着部品と第２のオーガー部品との間に各々が取り付けられている１対の取り付けプレートが含まれていることが好ましい。ナット及びボルトの配置が使用されていることが好ましい。任意の適切な固定部品を使用してもよい。１対の取り付けプレートは実質的に半円であることが好ましい。半円の取り付けプレートが対応している第１の装着部品と第１のオーガー部品との間に取り付けられており、第２の半円の取り付けプレートが対応している第２の装着プレートと第２のオーガー部品との間に取り付けられており、いったん取り付けられると、柱の基部を中心に閉じることができる「あご」を構成するように、それらの部品は一体に開閉されることが好ましい。
【００２７】
いったん、第１の装着部品と第１のオーガー部品とが一体になるように取り付けられ、別個に第２の装着部品と第２のオーガー部品とが一体に取り付けられると、それらは一体に開閉されることが好ましい。いったん一体になるように取り付けられると、第１の装着部品と第２の装着部品との開閉状態の間の移動によって、第１のオーガー部品及び第２のオーガー部品も一体に開閉させることになることが好ましい。第１及び第２の装着部品は、開閉し、取り付けられている第１のオーガー部品及び第２のオーガー部品も開閉する機構を一体になって実現することが好ましい。取り付けられている第１及び第２の装着部品及び第１及び第２のオーガー部品の開閉は、取り付けられている乗り物から制御される油圧ラムによることが好ましい。
【００２８】
第１のオーガー部品及び第２のオーガー部品で１周することは、柱の基部を接近して囲むことが好ましい。
【００２９】
本発明の他の態様において、第１のオーガー部品は、第１の装着部品に永久的に取り付けられており、第２のオーガー部品は、第２の装着部品に永久的に取り付けられている。本発明のこの永久的な態様には、以下でさらに説明するように、使用するオーガーのサイズを変更できず、そのため掘る穴の大きさを変更できないという欠点がある。 
【００３０】
任意採用で、本発明の他の態様において、第１の装着部品と第２の装着部品とは、第１のオーガー部品と第２のオーガー部品とは独立して構成されているが、回転装置をそれらの間で使用してオーガー部品を回転させることができるように、使用時に一体に移動させるようにしてもよい。
【００３１】
第１のオーガー部品及び第２オーガー部品は任意の適切な材料で作られていてもよい。第１のオーガー部品及び第２のオーガー部品は、強力な金属材料で作られていることが好ましい。強力な金属材料は、鋼であってもよい。発明の他の態様においては、１対のオーガー部品の代わりに複数の部品が使用されていてもよい。
【００３２】
回転装置は、第１及び第２のオーガー部品を回転させて溝を掘るように適合していることが好ましい。溝は柱を中心に掘られることが好ましい。回転装置は、任意の適切な態様をとってもよい。回転装置は、第１及び第２の装着部品と第１及び第２のオーガー部品との間に位置していることが好ましい。回転装置は、第１及び第２の装着部品に一方で関連し、第１及び第２のオーガー部品に他方で関連するように適合していることが好ましい。回転装置は、第１のオーガー部品と第２のオーガー部品とが一体になって回転して穴を掘ることができるように適合している合成軸受配置を有していることが最も好ましい。オーガーが、柱を中心に閉じられており、回転時に柱を損傷させずに空洞を掘るあごによって作られている。
【００３３】
合成軸受は、第１及び第２のオーガー部品によって構成されている螺旋ドリルの回転を可能にする任意の適切な態様をとってもよい。「スリッパ軸受」配置を使用してもよい。装着部品及び別個にオーガー部品に関連している合成軸受の部品は、取り付けプレートに取り付けられている新しいプラスチックまたは油含浸軸受「スリッパ軸受」によって完成してもよい。本発明の好ましい一態様において、関連しているチェーンを動かし、それが今度は第１及び第２のオーガー部品の少なくとも一方を回転させる、スプロケットが含まれている。 
【００３４】
合成軸受配置は、第１の装備部品と第１のオーガー部品との間に含まれており、合成軸受配置は、スプロケットの少なくとも１個の回転が、チェーンの回転に変換され、それが今度は第１のオーガー部品の連動部分によって第１のオーガー部品の回転に変換されるように、チェーン配置内に１対のスプロケットを有していることが好ましい。連動部分は、チェーンの近い部分も回転しているときに、それとの連動によって回転する第１オーガー部品上の歯付き部分であることが好ましい。歯付きの部分及びチェーンは、第１のオーガー部品の回転を変換する連動の他の態様に置き換えられてもよい。回転の方向は、スプロケットの回転方向によって規定される。第２のスプロケットが存在し、第１及び第２のスプロケットは、柱用の開口の外側の周囲を定めていることが好ましい。
【００３５】
合成軸受配置が、第２の装備部品と第２のオーガー部品との間に含まれており、合成軸受配置は、スプロケットの少なくとも１個の回転が、チェーンの回転に変換され、それが今度は第２のオーガー部品の連動部分によって第２のオーガー部品の回転に変換されるように、チェーン配置内に１対のスプロケットを有していることが好ましい。連動部分は、チェーンの近い部分も回転しているときに、それとの連動によって回転する第２オーガー部品上の歯付き部分であることが好ましい。歯付きの部分及びチェーンは、第２のオーガー部品の回転を伝達する連動の他の態様に置き換えられてもよい。回転の方向は、スプロケットの回転方向によって規定される。第２のスプロケットが存在し、第１及び第２のスプロケットは、第２の装着部品と第２のオーガー部品との間で、柱用の開口の外側の周囲を定めていることが好ましい。
【００３６】
回転装置は、１個または２個以上の油圧モータを有していることが好ましい。装置の各々の半分の第１のスプロケットは、油圧モータによって駆動されることが好ましい。油圧モータは、対応しているスプロケットの近くの第１または第２の装着部品に装着されていることが好ましい。油圧モータは、第１のスプロケットが選択した方向に回転するように、第１のスプロケットの上方に装着されていることが好ましい。油圧モータは、関連している乗り物の油圧システムから制御されることが好ましい。油圧モータは、乗り物のキャビンから制御されることが好ましい。チェーンの自由な動きを支援するように、チェーン内にアイドラー歯車が含まれていてもよい。
【００３７】
１対の油圧モータが含まれていることが好ましい。回転装置は、油圧モータの一体になった動作によって対応しているオーガー部品が回転し、それによって螺旋ドリルが２つの部品から構成されるように、構成されていることが好ましい。油圧モータを動作させると、チェーンに関連している１対のスプロケットの間のチェーンが回転するように対応しているスプロケットが回転し、オーガー部品の関連している調和部品を他のオーガー部品と一体に回転させ、１対のオーガー部品を一体に回転させて空洞の溝をボーリングすることが好ましい。１個または２個以上の油圧モータは、空洞ボーリングオーガーと共に使用される乗り物の油圧システムによって制御されることが好ましい。油圧モータは、オン、オフ及び動作の速度の変更を制御可能なことが好ましい。
【００３８】
合成軸受の１個または２個以上の部品は、装着部品またはオーガー部品に直接取り付けられるのではなく、取り付けプレートに取り付けられていてもよい。装着部品は、乗り物の駆動機構の取り付けのためのフレームを構成し、オーガー部品は使用中にフレーム内で回転することが好ましい。
【００３９】
労力と周囲の地面への悪影響とが最小になるように、柱の基部にオーガーによって溝が掘られることが好ましい。
【００４０】
第１の装着プレートと第２の装着プレートとは、２個以上の大きさの第１及び第２のオーガー部品と共に使用されてもよいことが好ましい。このように、１個の装置を様々な直径の穴を掘るのに使用してもよく、従来技術に対する大きな利点である。特定の大きさの穴または溝を掘るのに適している第１及び第２のオーガー部品は、第１及び第２の装着部品に直接取り付けることができる。または、第１及び第２のオーガー部品は、取り付けられている部品を使用前に柱を中心に閉じることができるように、対応している取り付けプレートに取り付けられ、それによって今度は取り付けプレートが第１及び第２の装着部品に取り付けられることが好ましい。第１及び第２の装着部品で構成されている同じ「フレーム」に全てが取り付け可能な多数のオーガー部品が、異なる空洞の溝を掘るのに使用するために供給されてもよいことが最も好ましい。
【００４１】
装置の幅または長さを変更するように、そして掘る溝の大きさを変更するように、コンパニオンプレートを使用してもよい。コンパニオンプレートが、装着プレート及び／またはオーガー部品に取り付けられてもよいことが好ましい。
【００４２】
よって、本発明は、柱を実質的に１周するように移動可能に互いに接続されている第１の装着部品と第２の装着部品と、第１のオーガー部品と第２のオーガー部品であって、取り付けられている特定の第１のオーガー部品と第２のオーガー部品に対応している大きさの柱を実質的に１周するように第１の装着部品と第２の装着部品とに対応して取り付け可能な様々な第１のオーガー部品と第２のオーガー部品と、オーガー部品が柱を中心に回転して穴をボーリングすることができるように、装着部品とオーガー部品とに関連付けられている回転装置と、回転装置が回転すると、オーガー部品は空洞の溝を柱の基部を中心にボーリングする、柱に使用される空洞ボーリングオーガーも提供してもよい。
【００４３】
よって、本発明は、第１のオーガー部品と第２のオーガー部品とに移動可能に対応して取り付けられている第１の装着部品と第２の装着部品とであって、オーガー部品が回転可能なようにそれらの間に関連している回転装置を備えている第１の装着部品と第２の装着部品とを有している柱に使用される空洞ボーリングオーガーを使用する方法であって、 ａ）取り付けられている第１の装着部品及び第１のオーガー部品と、第２の装着部品及び第２のオーガー部品とを柱の基部の近くに配置し、ｂ）第１の装着部品と、第１のオーガー部品と、柱の基部を中心に移動可能に取り付けられている第２の装着部品及び第２のオーガー部品とによって構成されている「あご」を閉じ、回転装置を動作させ、柱の基部を中心に空洞の溝を構成するように第１及び第２のオーガー部品を回転させる、ステップを有する方法も提供する。 
【００４４】
以上の記述を通して、柱に関連した使用ではない場合、他の物に置き換えてもよく、空洞の溝をそれを中心に掘ることができる。前述の方法の空洞ボーリングオーガーは、発明の任意の態様または変形例の空洞ボーリングオーガーであってもよい。
【００４５】
本発明を添付の図面を参照しながら非限定的な好ましい実施形態に関連して説明する。
【図面の簡単な説明】
【００４６】
【図１】図１は、使用中に電柱を囲み、掘取機またはテレハンドラーなどの乗り物の油圧システムに取り付けられるような、本発明の好適な実施形態の空洞ボーリングオーガーの上方からの透視図であるが、電柱及び乗り物は図から省かれている。
【図２】図２は、図１の空洞ボーリングオーガーの断面図であって、明確な図示のために乗り物からの駆動機構の油圧システム及び柱自体が同様に省略されている。
【図３】図３は、開いている状態の図１及び２の空洞ボーリングオーガーの上方からの図である。
【図４】図４は、回転している軸受機構を示している、閉じている状態の図１から３の空洞ボーリングオーガーの下からの図である。
【発明を実施するための形態】
【００４７】
図１から４を参照して、本発明の好ましい実施形態を説明し、空洞ボーリングオーガー装置１は、各々がカラー１３ａ及び１３ｂを備えており、ヒンジ１４の位置で取り付けられている第１の部品１０及び第２の部品１２を有している。
【００４８】
ヒンジ１４は、強力なピボットヒンジであって、柱の基部を囲むことが可能なように開いている状態と閉じている状態との間を移動可能である。ヒンジ１４の特定の形態は、開いている状態と閉じている状態との間を移動するのに適しているように変更可能である。開いている状態において、第１の部品１０及び第２の部品１２の開いている「あご」の間の間隔は、これらの「あご」が使用時に柱を囲むことができるようになっている。あごが開いている状態から閉じている状態に閉じて、柱の円形の周囲を接近して囲む。閉じている状態において、第１の部品１０及び第２の部品１２は閉じて一体になっており、それによって、以下で説明するように、空洞を掘ることができる。
【００４９】
第１の部品１０及び第２の部品１２は、使用時に柱を中心にフレームを構成するように、内部が互いに概ね鏡像に形作られている。部品１０及び１２が一体に閉じたときに円形の開口１５（図４を参照）が構成される。円形の開口１５は、標準的な電柱などと非常に近い寸法に設定されている。掘る柱の直径に合わせて円形の装置の大きさを増減させるように延長部分、コンパニオンプレート、または他のプレートを装置と共に使用することができる。さまざまな装置の組を必要とせずに、柱の様々な大きさに合わせて装置を容易に変更できることは、本発明の重要なさらなる利点である。乗り物にいったん取り付けられると、たとえば、直径が異なっていても、そのために装置を乗り物から取り外さずに複数の柱を確認するために装置を連続して使用してもよい。それとは別に、より大きいまたは小さい柱が使用されている場合、以下で説明するように、適切な大きさの螺旋部品２２ａ及び２２ｂを代わりに使用して、第１の部品１０及び１２にナット及びボルトによって取り付けることができる。このように、第１の部品１０及び第２の部品１２を、様々な直径の柱への使用に合わせて、ある大きさの範囲のオーガーつまり螺旋ドリル２２に使用することができる。装置の適合性には、１個のフレーム配置と共に、しかし様々なオーガーアタッチメントと共に使用するためのさらなる顕著な利点である。
【００５０】
部品１０及び１２は柱を接近して囲んでいるので、基部を中心とした掘削も、柱の外側表面の非常に近くになり、柱自体の基部を非常に近くで点検すること及び泥の取り除きを最小にすることができる。用途に適するように強力な鋼で作られている部品１０及び１２を示している。他の金属や適切な材料の組み合わせなど、他の材料を代わりに使用することもできる。
【００５１】
カラー１３ａ及び１３ｂは柱をさらに囲むために上に延びている。カラー１３ａ及び１３ｂは、開削によって、柱が腐っていたり、それ以外に痛んでいたりすることがわかったような状況で便利である。柱の基部の周囲の開削によって、柱が弱い場合に不安定になることがある。柱の安定性が失われることに対応するために、カラー１３ａ及び１３ｂが柱を囲み、乗り物の把持において強力な保持を支援する。図示のようにカラー１３ａ及び１３ｂは短い。しかし、より高いカラーは、開削工程中に柱を支える支援のために最も有利である。非常に延長されたカラーも、潜在的な損傷及び不安定さの恐れの高い柱に使用するために本発明の一部として想到される。
【００５２】
第１の部品１０及び第２の部品１２を柱（全体を通して不図示）を中心にヒンジ１４の位置で開閉するのに油圧ラム１６が使用されている。開閉は、特に便利なように、取り付けられている油圧装置（不図示）によって油圧パイプ１８を介して作動し、制御される。掘取機のような乗り物の油圧機構が、空洞ボーリングオーガー１を制御するように使用され、通常のように接続されている。乗り物の室内の油圧制御装置が、柱の周囲での部品１０及び１２の開閉に使用される。油圧制御装置の使用は、掘取機のバケットですくってあけるためなどの簡単な制御機構として知られている。機械的なプーリーや電気的なアクチュエータなどの、開閉のための他の方法を代わりに使用することができる。
【００５３】
シャフト２０が、空洞ボーリングオーガー装置１を、バケットまたは掘削機と同様に、使用前に乗り物に取り付ける。軸２０は、空洞ボーリングオーガー１を、通常のように、使用前に柱の基部に位置するように移動し操作するための支持を実現する。柱の基部にいったん配置されると、あごは柱の基部を囲むように油圧ラム１６を使用して掘取機のオペレータによって制御することができる。油圧制御装置は、使用中に損傷から保護するために支持シャフトと通常関連している。
【００５４】
螺旋ドリル２２は、柱を囲むように２個の部品２２ａ及び２２ｂで構成されているのがわかる。螺旋２２の部品２２ａ及び２２ｂの各々は共に、バックプレート２４及び刃２６を有しており、それらが一体になって端部２８までの螺旋ドリル２２を構成している。端部２８は、回転機構の作動時に螺旋２２が地面に切り込むのを支援するように形作られている。
【００５５】
取り付けプレート３０は、部品２２ａ及び２２ｂつまり螺旋ドリル２２を第１の部品１０及び第２の部品１２にそれぞれ取り付けるのに使用される。まとめて３２と符号が付けられている多数のナットと及びボルト配置は、部品１０及び１２とスパイラルドリル部品２２ａ及び２２ｂとの間の取り付けを行う。取り付けは、製造中または部品がユーザによって別個に供給されるときに行うことができる。第１の部品１０及び１２によって構成されているフレームを部品２２ａ及び２２ｂによって構成されている螺旋ドリル２２に取り付けるために、鋼のナット及びボルトの取り付け部分３２と共に、取り付けプレート３０を１対の強力な鋼の半円のプレートとして示している。取り付けプレート３０及びナット及びボルトの配置３２による部品１０及び１２の螺旋ドリル部品２２ａ及び２２ｂへの接続によって、柱を中心とした強力で機能的なオーガーが構成される。これで柱の基部の土を掘るつまりボーリングするためにオーガー装置１を使用する準備ができる。
【００５６】
本発明に対して重要なことは、部品１０及び１２によって構成されているフレームに相対的に螺旋ドリル２２を回転させて穴を掘る回転機構である。図４から特にわかるように、スプロケット３４、３６、３８、及び４０が、アイドル歯車４２及び４４と共に含まれている。チェーン４６及び４８は、スプロケット３４及び３６、３８及び４０ならびに、内部の対応しているアイドル歯車４２及び４４によって、輪に形成されている。螺旋ドリル部品２２ａ及び２２ｂ上の歯付きの部分５０及び５２はそれぞれチェーン４６及び４８内で、互いに対応し連動している。油圧モータ５４及び５６の動作時に、チェーン４６及び４８はスプロケット３４及び３６の回転によって移動し、それによって今度は、スプロケット３８、４０、及びアイドラー歯車４２及び４４の周囲のチェーンが移動する。それによって今度は、歯付き部分５０及び５２が移動し、それによって取り付けられているスパイラルドリルつまりオーガー２２が回転する。このように、端部２８によって地面が切り込まれ、柱の基部の周囲に穴がボーリングされる。油圧モータ５４及び５６は、油圧ツールに対する通常の態様、たとえばオフ及びオンの態様で乗り物のキャビンから制御される。油圧システムの作動に依存している回転の速度の制御など、より洗練されている制御を行うことも可能で、反転を含むことも可能である。
【００５７】
本発明のさらなる利点は、螺旋２２の回転用の新規の軸受配置の使用である。この新規の軸受システムにおいて、軸受（チェーン４６及び４８）の一方の半分は、部品１０及び１２、つまり装置の外側のフレームに取り付けられている。軸受（歯付き部品５０及び５２）の他方の半分は、間の油付きスプロケット３４〜３８によって、生成された軌道を移動するように螺旋２２に取り付けられている。螺旋２２の円滑な回転は、油圧モータ５６及び５４によって回動するスプロケット３４及び４０の回転によって容易に達成される。これによってチェーン４６及び４８が回動し、歯付き領域５０及び５２に掛けられているチェーン４６及び４８が対応して螺旋２２を回動させて地面を掘る。アイドラー歯車４２及び４４は、円滑な回転を支援し、チェーン４６及び４８の張力が失われることまたは問題に対応することを助ける。
【００５８】
本発明は、大きな利点となるいくつかの新規で進歩的な特徴を有している。開いているあごによって、オーガーが柱を囲むことが可能になり、巧妙な軸受機構が閉じている状態のオーガーを回転させて小さく整っている穴を掘り、それから穴は点検後に容易に埋めることができる。 
【００５９】
巧妙な本発明は、特定の問題を解決するが、多くの用途を有している。電柱などの周囲を掘るのに使用すると、従来技術に対して時間と悪影響とが大きく減少することになるので、際だったコスト節約がもたらされる。
【００６０】
その様々な局面において本発明の精神及び範囲から逸脱することなく、本明細書で開示している実施形態を変更できることが当業者には明らかになろう。 
【産業上の利用可能性】
【００６１】
本発明の空洞ボーリングオーガーは、工業的に製造され、組み立てられ、そして、柱、ポスト、及び木と共に使用するために会社に供給されることになる。
【符号の説明】
【００６２】
１  空洞ボーリングオーガー
１０  第１の部品
１２  第２の部品
１３ａ、１３ｂ  カラー
１４  ヒンジ
１５  円形の開口
１６  油圧ラム
１８  油圧パイプ
２０  シャフト
２２ａ、２２ｂ  螺旋
２４  バックプレート
２６  刃
２８  螺旋端部
３０  取り付けプレート
３２  ナット及びボルトの配置
３４  スプロケット
３６  スプロケット
３８  スプロケット
４０  スプロケット
４２  アイドラー歯車
４４  アイドラー歯車
４６  チェーン
４８  チェーン
５０  歯付き部品
５２  歯付き部品
５４  油圧モータ
５６  油圧モータ
【図１】
2018509548.tif 000003
【図２】
2018509548.tif 000004
【図３】
2018509548.tif 000005
【図４】
2018509548.tif 000006
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
柱を実質的に１周するように移動可能に互いに接続されている第１の装着部品及び第２の装着部品であって、第１の装着部品と第２の装着部品とは、閉じている状態において柱を実質的に１周して、柱の長さに沿って、少なくとも２５０ミリメートル延びている円柱を構成しているカラーを各々が有している、第１の装着部品と第２の装着部品と、
柱を実質的に１周するように第１の装着部品と第２の装着部品とに対応して取り付け可能な第１のオーガー部品と第２のオーガー部品と、
オーガー部品が柱を中心に回転して穴をボーリングすることができるように、装着部品とオーガー部品とに関連付けられている回転装置と、
を有し、 
回転装置が回転すると、オーガー部品は空洞の溝をボーリングする、柱に使用される空洞ボーリングオーガー。 
【請求項２】
第１及び第２の装着部品は、開いている状態と閉じている状態との間を移動可能な、請求項1に記載の空洞ボーリングオーガー。
【請求項３】
発明の好ましい形態において、第１の装着部品と第２の装着部品との各々は、第１の装着部品と第２の装着部品とを一体に移動させる時に、柱の円形の周囲を接近して囲む円形の開口を構成する半円部分を有している、請求項1または２に記載の空洞ボーリングオーガー。
【請求項４】
第１の装着部品と第２の装着部品とは、柱またはポストの基部の近くに移動させて、柱の周囲で閉じることが可能な「あご」を構成するように一体にヒンジ結合されている、請求項１から３のいずれか１項に記載の空洞ボーリングオーガー。 
【請求項５】
第１の装着部品と第２の装着部品とは、取り付けられている乗り物の油圧システムに取り付けられており、第１の装着部品と第２の装着部品との開閉は、取り付けられている乗り物のキャビンから制御される、請求項１から４のいずれか１項に記載の空洞ボーリングオーガー。
【請求項６】
カラーは、穴が基部の周囲に掘られている時に、柱の不安定化に対応するように作用する支持カラーを構成している、請求項１から５のいずれか１項に記載の空洞ボーリングオーガー。
【請求項７】
第１のオーガー部品と第２のオーガー部品とは、一体になって柱の基部の周囲に空洞を掘るオーガーを構成することが好ましい、請求項１から６のいずれか１項に記載の空洞ボーリングオーガー。
【請求項８】
第１のオーガー部品と第２のオーガー部品とは、第１のオーガー部品と第２のオーガー部品とが一体になったときに連続するように構成されているバックプレートと刃とを有している螺旋ドリルを一体になって構成する、請求項１から７のいずれか１項に記載の空洞ボーリングオーガー。
【請求項９】
第１及び第２のオーガー部品は、開いている状態と閉じている状態との間を移動可能な、請求項１から８のいずれか１項に記載の空洞ボーリングオーガー。
【請求項１０】
閉じている状態においては、第１及び第２のオーガー部品は柱に概ね対応している円柱を実質的に定めており、閉じている状態において柱を実質的に囲むように構成されている、請求項１から９のいずれか１項に記載の空洞ボーリングオーガー。
【請求項１１】
第１のオーガー部品は、第１の装着部品に対応しており、第２のオーガー部品は第２の装着部品に対応しており、それらに取り付け可能なことが好ましい、請求項１から１０のいずれか１項に記載の空洞ボーリングオーガー。
【請求項１２】
取り付けプレートを使用して部品が一体になるように取り付けられる、請求項１から１１のいずれか１項に記載の空洞ボーリングオーガー。
【請求項１３】
一体になるように閉じられたときに、断面が柱の形状に概ね対応するように構成されている１対の取り付けプレートが含まれている、請求項１２に記載の空洞ボーリングオーガー。
【請求項１４】
第１の装着部品と第１のオーガー部品との間と、別個に、第２の装着部品と第２のオーガー部品との間に各々が取り付けられている１対の取り付けプレートが含まれている、請求項１２または１３に記載の空洞ボーリングオーガー。
【請求項１５】
半円の取り付けプレートが対応している第１の装着部品と第１のオーガー部品との間に取り付けられており、第２の半円の取り付けプレートが対応している第２の装着プレートと第２のオーガー部品との間に取り付けられており、いったん取り付けられると、柱の基部を中心に閉じることができる「あご」を構成するように、それらの部品は一体に開閉される、請求項１から１４のいずれか１項に記載の空洞ボーリングオーガー。
【請求項１６】
いったん、第１の装着部品と第１のオーガー部品とが一体になるように取り付けられ、別個に第２の装着部品と第２のオーガー部品とが一体に取り付けられると、それらは一体に開閉される、請求項１から１５のいずれか１項に記載の空洞ボーリングオーガー。
【請求項１７】
いったん一体になるように取り付けられると、第１の装着部品と第２の装着部品の開閉状態の間の移動によって、第１のオーガー部品及び第２のオーガー部品も一体に開閉させることになる、請求項１６に記載の空洞ボーリングオーガー。
【請求項１８】
回転装置は、第１及び第２のオーガー部品を回転させて柱を中心に溝を掘るように適合している、請求項１から１７のいずれか１項に記載の空洞ボーリングオーガー。
【請求項１９】
回転装置は、第１及び第２の装着部品と第１及び第２のオーガー部品との間に位置している、請求項１から１８のいずれか１項に記載の空洞ボーリングオーガー。
【請求項２０】
回転装置は、第１及び第２の装着部品に一方で関連し、第１及び第２のオーガー部品に他方で関連するように適合している、請求項１から１９のいずれか１項に記載の空洞ボーリングオーガー。
【請求項２１】
回転装置は、第１のオーガー部品と第２のオーガー部品とが一体に回転して穴を掘ることができるように適合している合成軸受配置を有している、請求項１から２０のいずれか１項に記載の空洞ボーリングオーガー。
【請求項２２】
合成軸受配置は、第１の装備部品と第１のオーガー部品との間に含まれており、合成軸受配置は、スプロケットの少なくとも一方の回転が、チェーンの回転に変換され、それが今度は第１のオーガー部品の連動部分によって第１のオーガー部品の回転に変換されるように、チェーン配置内に１対のスプロケットを有している、請求項２１に記載の空洞ボーリングオーガー。
【請求項２３】
連動部分は、チェーンの近い部分も回転しているときに、それとの連動によって回転する第１オーガー部品上の歯付き部分である、請求項２２に記載の空洞ボーリングオーガー。
【請求項２４】
第２のスプロケットが存在し、第１及び第２のスプロケットは、柱用の開口の外側の周囲を定めている、請求項２３に記載の空洞ボーリングオーガー。
【請求項２５】
合成軸受配置は、第２の装着部品と第２のオーガー部品との間に含まれており、合成軸受配置は、スプロケットの少なくとも１個の回転が、チェーンの回転に変換され、それが今度は第２のオーガー部品の連動部分によって第２のオーガー部品の回転に変換されるように、チェーン配置内に１対のスプロケットを有しており、連動部分は、チェーンの近い部分も回転しているときに、それとの連動によって回転する第２オーガー部品上の歯付き部分である、請求項２１から２４のいずれか１項に記載の空洞ボーリングオーガー。
【請求項２６】
回転装置は、１個または２個以上の油圧モータを有しており、回転装置は、油圧モータが一体で動作することによって対応しているオーガー部品が回転し、それによって螺旋ドリルが２個の部品から構成されるように構成されている、請求項１から２５のいずれか１項に記載の空洞ボーリングオーガー。
【請求項２７】
油圧モータを動作させると、チェーンに関連している１対のスプロケットの間のチェーンが回転するように対応しているスプロケットが回転し、オーガー部品の関連している調和部品を他のオーガー部品と一体に回転させ、１対のオーガー部品を一体に回転させて空洞の溝をボーリングする、請求項２６に記載の空洞ボーリングオーガー。
【請求項２８】
装着部品は、乗り物の駆動機構の取り付けのためのフレームを構成し、オーガー部品は使用中にフレーム内で回転する、請求項１から２７のいずれか１項に記載の空洞ボーリングオーガー。
【請求項２９】
労力と周囲の地面への悪影響とが最小になるように、柱の基部にオーガーによって溝が掘られる、請求項１から２８のいずれか１項に記載の空洞ボーリングオーガー。
【請求項３０】
第１の装着プレートと第２の装着プレートとは、２個以上の大きさの第１及び第２のオーガー部品と共に様々な直径の穴を掘るのに使用される、請求項１から２９のいずれか１項に記載の空洞ボーリングオーガー。
【請求項３１】
コンパニオンプレートが装置の幅または長さを変更し、掘られる溝の大きさを変更するのに使用され、コンパニオンプレートは、装着プレート及び／またはオーガー部品に取り付けられている、請求項１から３０のいずれか１項に記載の空洞ボーリングオーガー。
【請求項３２】
柱を実質的に１周するように移動可能に互いに接続されている第１の装着部品と第２の装着部品と、
第１のオーガー部品と第２のオーガー部品であって、取り付けられている特定の第１のオーガー部品と第２のオーガー部品に対応している大きさの柱を実質的に１周するように第１の装着部品と第２の装着部品とに対応して取り付け可能な様々な第１のオーガー部品と第２のオーガー部品と、
オーガー部品が柱を中心に回転して穴をボーリングすることができるように、装着部品とオーガー部品とに関連付けられている回転装置と、
を有し、
回転装置が回転すると、オーガー部品は空洞の溝を柱の基部を中心にボーリングする、柱に使用される空洞ボーリングオーガー。 
【請求項３３】
第１のオーガー部品と第２のオーガー部品とに移動可能に対応して取り付けられている第１の装着部品と第２の装着部品とであって、オーガー部品が回転可能なようにそれらの間に関連している回転装置を備えている第１の装着部品と第２の装着部品とを有している柱に使用される空洞ボーリングオーガーを使用する方法であって、
ａ）取り付けられている第１の装着部品及び第１のオーガー部品と、第２の装着部品及び第２のオーガー部品とを柱の基部の近くに配置し、 
ｂ）第１の装着部品と、第１のオーガー部品と、柱の基部を中心に移動可能に取り付けられている第２の装着部品及び第２のオーガー部品とによって構成されている「あご」を閉じ、
回転装置を動作させ、柱の基部を中心に空洞の溝を構成するように第１及び第２のオーガー部品を回転させる、
ステップを有する方法。
【請求項３４】
空洞ボーリングオーガーは、請求項１から32のいずれか１項に記載の空洞ボーリングオーガーである、請求項３３に記載の空洞ボーリングオーガー。 
【国際調査報告】
2018509548.tif 000007
2018509548.tif 000008
2018509548.tif 000009